(57)【要約】【課題】ティッシュペーパーの箱のカバーに、椅子の背もたれなどへの装着密着を付加したカバーを、少ない材料で軽微に実現する。【解決手段】ティッシュペーパーの箱１４の外形と同等の四角い袋状のカバー１に、ティッシュペーパー取出し口１０を、反対側に開口部１１を設ける。開口部１１の四辺中央にそれぞれ結合器具６、７、８、９を有した帯紐状のベルト２、３、４、５をカバー素材と同じ物で設け、相対する帯紐状のベルトが結合可能にすることで少ない材料でのカバー作製が可能になる。椅子の背もたれなどに帯紐状のベルト２と３、４と５をまわして結合させる場合、帯紐状のベルトの長さにより、二通りの装着が可能となる。また紐を帯状にすることにより、装着物への装着時の摩擦抵抗が増え、密着度が増す。【選択図】図１２
0003136204.tif 000002
【実用新案登録請求の範囲】
【請求項１】
六面体の四角い箱入りティッシュペーパーの大きさに合わせた、四角い袋状のカバーで、ティッシュの取り出し口を有する面と対象となる面（底の部分）が開口されており、開口された面から箱入りティッシュペーパーを出し入れすることができ、開口された面から箱が出ないよう、開口部を帯紐状のベルトで箱を固定することを特徴とする箱入りティッシュペーパーのカバー。
【請求項２】
四角い袋状の箱入りティッシュペーパーのカバー開口部の四辺に長短の帯（摩擦抵抗による密着を考慮）紐状のベルトをそれぞれ有し、長い二辺の帯紐状のベルトの長さは箱入りティッシュペーパーのティッシュペーパー取り出し口の面の長辺の長さとし、短い二辺の帯紐状のベルトの長さは同じ箱の面の短辺の長さとする。そして、それぞれ長短二つの帯紐状のベルト同士が結合できる器具を有し、長い（又は短い）帯紐状のベルトで箱を固定した場合、もう一つの短い（又は長い）帯紐状のベルトでは箱入りティッシュペーパーを椅子の背もたれなどに取り付けることを可能にしたことを特徴とする箱入りティッシュペーパーカバー。
【考案の詳細な説明】
【技術分野】
【０００１】
本考案は、椅子の背もたれなどの棒状の部分に簡単装着可能な箱入りティッシュペーパーカバーに関するものである。
【背景技術】
【０００２】
箱入りティッシュペーパーのカバーは、従来、インテリアとして見た目を良くする利用として実用に共されている。
【０００３】
実用の箱入りティッシュペーパーのカバーは、ティッシュペーパーの箱の形状に合わせ、素材は布からプラスチックなど、様々な素材とデザインによるものである。ティッシュペーパーを必要とする場所にカバーを被せたティッシュペーパーの箱を置き使用するのみで実用上十分であった。
【０００４】
しかし、オフィスやダイニングキッチンなど、机やテーブルの上に十分なスペースが無い場合、ティッシュペーパーを箱のまま置くことができず、ティッシュを使用したい時に使用できないという欠点があった。
【０００５】
ティッシュペーパーのカバーだけの用途において、この欠点は利便性に関して大きな障害である。この欠点を改善した実用のティッシュペーパーカバーの従来の技術として、カバー保持機能をそなえた特許公開２００５−６６０７５では、一つの生地を折り畳んでティッシュペーパーの箱を包み込み、保持する部分を有して椅子などに装着するというカバーであるが、折り畳み方が不明瞭なことと、不必要な材料の部分があるなどの問題があった。
【０００６】
この改善策として、ティッシュペーパーの箱を入れて閉じるだけの簡単で少ない材料でする方法がある。図３〜７と図８〜１２は、この方法による箱入りティッシュペーパーカバーの実装形態を示すための説明図であって、斜視図である。図３〜７では太目の棒状のものへの、図８〜１２では細めの棒状のものへの箱入りティッシュペーパーをカバーに入れて装着する段階を説明する斜視図である。
【特許文献１】特許公開２００５−６６０７５号公報
【考案の開示】
【考案が解決しようとする課題】
【０００７】
解決しようとする問題点は、箱入りテッシュペーパーを少ない素材のカバーに簡単に入れて装着可能とする点である。
【課題を解決するための手段】
【０００８】
本考案は、カバーの開口部分を閉じる帯紐状のベルトが装着時のベルト兼用となるため、必要最小限のカバー機能と二通りの保持機能を有することを最も主要な特徴とする。
【考案の効果】
【０００９】
本考案の箱入りティッシュペーパーのカバーは単純な素材と製作行程なため、素材を主に布地で作製すると、個人のオリジナリティに合わせたデザインが豊富にプリントできるという利点がある。
【考案を実施するための最良の形態】
【００１０】
箱入りティッシュペーパーをカバーに入れて閉じ、椅子の背もたれなどの細い部分を有する場所に保持するという目的を、簡単な素材で、インテリアとして損なわずに実現した。
【実施例１】
【００１１】
図１３と図１４は、本考案の箱入りティッシュペーパー１４をカバー１に収納した実施例の斜視図であって、図１３はティッシュペーパー取出し口の上側からの斜視図であり、図１４はカバー開口部１１を帯紐状のベルトで閉じた下側の斜視図である。１はカバー、２は長い帯紐状のベルトａ、３は長い帯紐状のベルトｂ、４は短い帯紐状のベルトａ、５は短い帯紐状のベルトｂ、１０はカバーのティッシュペーパー取出し口、１３はティッシュペーパー、１４は箱入りティッシュペーパー、１５は箱入りティッシュペーパーの取り出し口である。
【００１２】
図１４のように長い帯紐状のベルトａの２と長い帯紐状のベルトｂの３、短い帯紐状のベルトａの４と短い帯紐状のベルトのｂの５をそれぞれの結合器具６と７、８と９で結合させることにより、カバー開口部１１に蓋をし、箱入りティッシュペーパー１４を安定させた。
【実施例２】
【００１３】
図７は、箱入りティッシュペーパー１４をカバー１に入れ、椅子の背もたれの太い部分１２に装着した斜視図である。
【００１４】
図３〜６は、箱入りティッシュペーパー１４をカバー１に入れ、短い帯紐状のベルト４と５をそれぞれの結合器具８と９で結合させ、箱入りティッシュペーパー１４を安定させた後、長い帯紐状のベルト２と３を椅子の背もたれの太い部分１２にまわしてそれぞれの結合器具６と７で結合させた一連の状態の斜視図である。
【実施例３】
【００１５】
図１２は、箱入りティッシュペーパー１４をカバー１に入れ、椅子の背もたれの細い部分１６に装着した斜視図である。
【００１６】
図８〜１１は、箱入りティッシュペーパー１４をカバー１に入れ、長い帯紐状のベルト２と３をそれぞれの結合器具６と７で結合させ、箱入りティッシュペーパー１４を安定させた後、短い帯紐状のベルト４と５を椅子の背もたれの細い部分１６にまわしてそれぞれの結合器具８と９で結合させた一連の状態の斜視図である。
【００１７】
このようにカバーと装着という、二つの機能を併せ持つ事を可能にし、最小限の材料での製作はコストダウンにもつながる。
【００１８】
図７や図１２の実施例のように、細い部分と太い部分の二通りの装着が可能な事から、利用対象の拡大におおいに役立つ。
【産業上の利用可能性】
【００１９】
家庭のテーブルの椅子やオフィスの椅子、車のヘッドレスト部分やパイプ式のベッドなどティッシュペーパーを必要としている場所で、且つ無くならないように固定する必要がある場所など利用対象が多く考えられる。また利用対象が多いということは数量を多く必要とする、ということであり、カバー1つ当りのコストダウンは消費に不可欠な要因でもある。
【図面の簡単な説明】
【００２０】
【図１】箱入りティッシュペーパーとそれを入れるカバーのおおよその形状を示した説明図である。
【図２】箱入りティッシュペーパーのカバーを開口部側から見た斜視図である。
【図３】箱入りティッシュペーパーをカバーに入れて一辺の短い帯紐状のベルトを内側に折った斜視図である。
【図４】図３の状態からもう一辺の短い帯紐状のベルトを内側に折り、それぞれのベルトに有する結合器具でベルトを結合させた斜視図である。
【図５】図４の状態から一辺の長い帯紐状のベルトを内側に折った斜視図である。
【図６】図５の状態からもう一辺の長い帯紐状のベルトを内側に折り、それぞれのベルトに有する結合器具でベルトに遊びをもたせて結合させた斜視図である。
【図７】椅子の太い背もたれ部分に図６の状態で装着した斜視図である。（実施例２）
【図８】箱入りティッシュペーパーをカバーに入れて一辺の長い帯紐状のベルトを内側に折った斜視図である。
【図９】図８の状態からもう一辺の長い帯紐状のベルトを内側に折り、それぞれのベルトに有する結合器具でベルトを結合させた斜視図である。
【図１０】図９の状態から一辺の短い帯紐状のベルトを内側に折った斜視図である。
【図１１】図１０の状態からもう一辺の短い帯紐状のベルトを内側に折り、それぞれのベルトに有する結合器具でベルトに遊びをもたせて結合させた斜視図である。
【図１２】椅子の細い背もたれ部分に図１１の状態で装着した斜視図である。（実施例３）
【図１３】箱入りティッシュペーパーをカバーに入れたティッシュペーパー取出し口側からの斜視図である。（実施例１）
【図１４】箱入りティッシュペーパーをカバーに入れたカバー開口部側からの斜視図である。（実施例１）
【符号の説明】
【００２１】
１    カバー
２    長い帯紐状のベルトａ
３    長い帯紐状のベルトｂ
４    短い帯紐状のベルトａ
５    短い帯紐状のベルトｂ
６    ２の結合器具
７    ３の結合器具
８    ４の結合器具
９    ５の結合器具
１０    カバーのティッシュペーパー取り出し口
１１    カバーの開口部
１２    椅子の太い背もたれ部分
１３    ティッシュペーパー
１４    箱入りティッシュペーパーの箱
１５    箱入りティッシュペーパーの取り出し部分
１６    椅子の細い背もたれ部分
【図１】
0003136204.tif 000003
【図２】
0003136204.tif 000004
【図３】
0003136204.tif 000005
【図４】
0003136204.tif 000006
【図５】
0003136204.tif 000007
【図６】
0003136204.tif 000008
【図７】
0003136204.tif 000009
【図８】
0003136204.tif 000010
【図９】
0003136204.tif 000011
【図１０】
0003136204.tif 000012
【図１１】
0003136204.tif 000013
【図１２】
0003136204.tif 000014
【図１３】
0003136204.tif 000015
【図１４】
0003136204.tif 000016